(57)【要約】【課題】ムービングプレートの変形を規制して端子金具を保護する。【解決手段】ムービングプレート１８は本体板１９から筒状部２０を突出した構成となっており、その横壁２２がフード部５内を幅方向に横切る。フード部５の内壁には端部支持壁３０が張り出し、横壁２２の端部及び張り出し縁２８を支持する。これによって、横壁２２の剛性が高められ、内方へ撓み変形するのを規制することができる。また、フード部５の奥壁からは中央支持壁３３が前方へ向けて突出しており、横壁２２の幅方向中央部に凹み形成された溝部３２に嵌め合わされている。これによって、横壁２２が外方へ撓み変形するのが中央支持壁３３によって規制される。このように横壁２２は内外方向への撓み変形が規制されるため、その周囲にあるタブ状端子金具との干渉が回避される。【選択図】図１
2008235059.tif 000002
【特許請求の範囲】
【請求項１】
ハウジングには相手側ハウジングが嵌合するフード部が、前方へ開口する筒状をなして形成されるとともに、このフード部内には前記フード部の奥壁から複数のタブ状端子金具が突出して配され、さらに、前記フード部内においては、前記タブ状端子金具のうちの一部領域のものを貫通させた状態で整列させるムービングプレートが、前記両ハウジングの嵌合動作に連動して進退可能に組み込まれたコネクタにおいて、
前記ムービングプレートは前記タブ状端子金具を貫通させる位置決め孔が複数個開口して形成された本体板と、この本体板から嵌合方向前方へ向けて突出し嵌合方向前方側へ開口する筒状部とから形成され、かつこの筒状部は前記フード部の内壁面に沿う一対の縦壁と両縦壁間を、前記フード部内を横切って連結する一対の横壁とからなる一方、
前記フード部の内面には、前記横壁に係止して横壁の内外方向への撓みを規制する撓み規制部が形成されていることを特徴とするコネクタ。
【請求項２】
前記撓み規制部は、前記フード部の内周面から前記嵌合方向に沿って張り出しその外面において前記横壁の幅方向両端部を摺接可能に受承する端部支持壁と、前記フード部の奥壁から前記嵌合方向に沿って突出し前記横壁の幅方向中央部の外面側に対向する中央支持壁とからなっていることを特徴とする請求項１に記載のコネクタ。
【請求項３】
前記横壁の外面には溝部が凹み形成され、前記ムービングプレートの進退時には前記中央支持壁を嵌め込んだ状態で前記溝部内を移動可能であることを特徴とする請求項２記載のコネクタ
【発明の詳細な説明】
【技術分野】
【０００１】
本発明はコネクタに関する。
【背景技術】
【０００２】
特許文献１には、雄ハウジングのフード部内に設けたムービングプレートを、レバーによって進退させるようにしたコネクタが開示されている。このコネクタにおけるムービングプレートは、フード部内に突出する雄端子金具のタブを貫通させる本体板と、本体板の周縁から立ち上がる壁部とを一体に形成したものであり、壁部はフード部の内周に沿うような形態となっている。
【特許文献１】特開平１１−０６７３３７号公報
【発明の開示】
【発明が解決しようとする課題】
【０００３】
上記のようなコネクタでは、フード部に嵌入される相手側コネクタが斜め姿勢でフード部内に進入したときに、その相手側コネクタにおける進入方向先端の角部がタブに当たって、タブを変形させてしまうことが懸念される。  
そこで、本発明は上記のような事情に基づいて完成されたものであって、相手側ハウジングのこじりからタブ状端子金具を保護することができるコネクタの提供を目的とする。
【課題を解決するための手段】
【０００４】
上記の目的を達成するための手段として、請求項１の発明は、ハウジングには相手側ハウジングが嵌合するフード部が、前方へ開口する筒状をなして形成されるとともに、このフード部内には前記フード部の奥壁から複数のタブ状端子金具が突出して配され、さらに、前記フード部内においては、前記タブ状端子金具のうちの一部領域のものを貫通させた状態で整列させるムービングプレートが、前記両ハウジングの嵌合動作に連動して進退可能に組み込まれたコネクタにおいて、
前記ムービングプレートは前記タブ状端子金具を貫通させる位置決め孔が複数個開口して形成された本体板と、この本体板から嵌合方向前方へ向けて突出し嵌合方向前方側へ開口する筒状部とから形成され、かつこの筒状部は前記フード部の内壁面に沿う一対の縦壁と両縦壁間を、前記フード部内を横切って連結する一対の横壁とからなる一方、前記フード部の内面には、前記横壁に係止して横壁の内外方向への撓みを規制する撓み規制部が形成されていることを特徴とするものである。
【０００５】
請求項２の発明は、請求項１に記載のものにおいて、前記撓み規制部は、前記フード部の内周面から前記嵌合方向に沿って張り出しその外面において前記横壁の幅方向両端部を摺接可能に受承する端部支持壁と、前記フード部の奥壁から前記嵌合方向に沿って突出し前記横壁の幅方向中央部の外面側に対向する中央支持壁とからなっていることを特徴とするものである。
【０００６】
請求項３の発明は、請求項２に記載のものにおいて、前記横壁の外面には溝部が凹み形成され、前記ムービングプレートの進退時には前記中央支持壁を嵌め込んだ状態で前記溝部内を移動可能であることを特徴とするものである。
【発明の効果】
【０００７】
＜請求項１の発明＞
請求項１の発明によれば、相手側ハウジングがフード部内に斜め方向から進入することがあっても、ムービングプレートの横壁によってタブ状端子金具との干渉を回避することができる。しかも、ムービングプレートの横壁はフードの内面に設けられた撓み規制部と係止することによって、横壁の剛性が高められ、もって横壁の変形を有効に規制することができる。
【０００８】
＜請求項２の発明＞
請求項２の発明によれば、横壁はその幅方向両端部を端部支持壁によって支持されることにより内方への撓み変形が規制され、中央支持壁によって外方への撓み変形も規制される。
【０００９】
＜請求項３の発明＞
請求項３の発明によれば、溝部内に中央支持壁を嵌め入れるようにすることで、横壁と中央支持壁をラップさせた配置とすることができるため、ラップさせることなく配置した場合に比較してコンパクトな配置とすることができる。
【発明を実施するための最良の形態】
【００１０】
＜実施形態１＞
本発明の実施形態１を図１ないし図８によって説明する。雄コネクタ１は図５に示すように、合成樹脂製のハウジング２と、同じく樹脂製のレバー８及びムービングプレート１８と、ハウジング２内に収容される複数の雄端子金具３（図７参照）とを備えて構成されている。
【００１１】
ハウジング２の嵌合方向後半部は雄端子金具３Ａ〜３Ｃを組付けるための端子収容部４となり、前半部は端子収容部４に連続してフード部５となっている。フード部５は縦長の略角筒状をなし、前方へ開口して形成されている。また、フード部５における幅方向両側に位置する壁部には、フード部５の前端から雌雄コネクタ１，６の嵌合方向に沿ってスリット状に切り込んだ形態の逃がし溝７が形成されている。
【００１２】
レバー８は、フード部５の幅方向両側の外面に沿った板状をなす一対のアーム部９と、両アーム部９の上端同士を連結する湾曲形状の操作部１０とを一体形成したものであり、両アーム部９の内面（ハウジング２との対向面）にはカム溝１１が形成され、図８に示すように、アーム部９に形成された軸受孔３４がフード部５の外面に突出形成された支持軸３５に嵌合されている。このようにしてハウジング２に取り付けられたレバー８は、カム溝１１の入り口を前記した逃がし溝７と対応させる初期位置と、操作部１０を図７に示す反時計回りに回動させて雌雄のコネクタ１，６を正規深さで嵌合させる嵌合位置との間で回動可能となっている。
【００１３】
ハウジング２において、端子収容部４の高さ方向中央部にはサブハウジング１２を組付けるためのサブハウジング収容室１３が形成されている。また、端子収容部４内にはこのサブハウジング１２を高さ方向から挟むようにして上部収容部１４と下部収容部１５が配されており、両収容部１４，１５には前後方向に貫通するようにしてキャビティ１６が形成され、内部にはそれぞれ複数本ずつ雄端子金具３Ａ，３Ｂが抜け止め状態で収容される。この実施形態においては、上部及び下部収容部１４、１５は共にそれぞれ異なる大きさの二種類の雄端子金具３Ａ，３Ｂが収容されている。そして、上部収容部１４のうち最も高い位置にあるキャビティ１６と、下部収容部１５のうち最も低い位置にあるキャビティ１６には共に最もサイズの大きな雄端子金具３Ａが収容され、両収容部１４，１５のうち残りのキャビティ１６には中サイズの大きさの雄端子金具３Ｂが収容されている。また、これら大・中サイズの各雄端子金具３Ａ，３Ｂはフード部５の奥壁１７からフード部５内に先端位置を揃えた状態でタブを突出させている。
【００１４】
サブハウジング１２はサブハウジング収容室１３に対して後方から嵌め入れることで、抜け止め状態で組みつけられる。サブハウジング１２にも前後方向へ開口する複数のキャビティ１６が貫通して形成され、内部には最も小さいサイズの雄端子金具３Ｃが複数本収容されている。サブハウジング１２に組み付けられた小サイズの雄端子金具３Ｃもタブをフード部５内に突出させている。但し、こらの先端位置は大・中サイズの雄端子金具３Ａ，３Ｂのタブ先端位置より若干後退した位置となっている。
【００１５】
ムービングプレート１８は、サブハウジング１２の前面壁１２Ａと平行に対向する板状の本体板１９と、この本体板１９の周縁部から前方へ角筒状をなして突出する横長の筒状部２０とからなっている。筒状部２０は、さらにフード部５の高さ方向の壁面と対向する一対の縦壁２１と両縦壁２１の上下端部同士を連結する横壁２２とからなっている。そして、本体板１９には複数の位置決め孔２３が貫通し、サブハウジング１２から突出する各タブを貫通可能である。また、縦壁２１の外面において、高さ方向中央部でかつ本体板１９寄りの位置には一対のカムフォロア２４が突出形成されている。カムフォロア２４は前方へ開口する凹部２５を有しており、この凹部２５には雌コネクタ（相手側コネクタ）のカムピン（図示しない）を収容可能となっている。両カムフォロア２４はフード部５の逃がし溝７を厚み方向に貫通してレバー８のカム溝１１に嵌合されており、このカムフォロア２４とカム溝１１との係合によるカム作用によって、ムービングプレート１８はレバー８の回動動作と連動して前後方向に移動するようになっている。すなわち、レバー８が初期位置にあるときには、ムービングプレート１８はフード部５の開口部に近い進出位置にあり、レバー８が嵌合位置へ回動するのに伴ってムービングプレート１８がフード部５の奥側へ移動し、レバー８が嵌合位置に達した状態では、本体板１９がサブハウジング１２の前面壁１２Ａに当接する位置にある。ムービングプレート１８が進出位置にあるときには、位置決め孔２３がサブハウジング１２側のタブの先端部に嵌合し、ムービングプレート１８が嵌合位置にあるときには位置決め孔２３はタブの基端部に嵌合し、タブを筒状部２０内に突出させる。
【００１６】
また、両カムフォロア２４の高さ方向の両面にはそれぞれフック状をなす引っ掛け片２６が上下対称形状をなして突出形成されている。一方、フード部５の両逃がし溝７における高さ方向に対向する開口縁部でかつムービングプレート１８側の端部寄りには、薄肉縁２７が嵌合方向に沿って高さ方向において対向するようにして形成されており、各薄肉縁２７は引っ掛け片２６と縦壁２１との間に入り込んでムービングプレート１８の移動動作を案内する。
【００１７】
さらにムービングプレート１８の両横壁２２は、その前端が縦壁２１の前端からやや前方へ張り出すように形成されているとともに、その幅方向両端縁からは張り出し縁２８が幅方向及び高さ方向にそれぞれ一対ずつ一体に張り出し形成されている。この張り出し縁２８は引っ掛け片２６の前端位置に揃えられ、嵌合方向に沿ってムービングプレート１８のほぼ後端に至るまでの範囲に亘って外向きに張り出している。さらにまた、縦壁２１の外面で張り出し縁２８の裏側（高さ方向内側）には係止段縁２９が、嵌合方向に沿ってかつムービングプレート１８の全長に亘って凹み形成されている。一方、フード部５の内面には高さ方向及び幅方向でそれぞれ対をなすようにして端部支持壁３０が配され、これらはフード部５の開口縁から奥壁に至るまで嵌合方向に沿って内向きに張り出し形成されている。ムービングプレート１８がフード部５内に組み込まれた状態では、各端部支持壁３０を係止段縁２９と横壁２２の端部及び張り出し縁２８との間で高さ方向から摺動可能に挟み付けている。また、この実施形態では、フード部５の内面において端部支持壁３０の高さ方向外方に隣接した位置には、拡張溝３１が凹み形成されていて、張り出し縁２８と端部支持壁３０との掛かり代を確保するようにし、かつ拡張溝３１の上下壁によって張り出し縁２８を高さ方向から挟みつけるようにしている。
【００１８】
また、ムービングプレート１８の横壁２２の外面には溝部３２が所定幅範囲に亘って凹み形成されている。この溝部３２は横壁２２の幅方向中央部においてムービングプレート１８の前端からやや奥方へ入り込んだ位置から後端に至るまでの長さ範囲に亘って形成されている。一方、フード部５の奥壁、具体的にはサブハウジング１２の前面壁１２Ａを露出させる開口部において高さ方向に対向する開口縁部には、嵌合方向前方へ向けて中央支持壁３３（端部支持壁３０と共に撓み規制部を構成する）が張り出している。この中央支持壁３３はフード部５の前後方向中央部に至るまでの長さを有しかつムービングプレート１８の溝部３２に適合して嵌め入れ可能な幅寸法をもって形成されている。また、嵌め入れられた状態では、ムービングプレート１８の横壁２２から中央支持壁３３が高さ方向外方へ突出しないようにしてある。さらに、ムービングプレート１８が進出位置にあるときには、図７に示すように、中央支持壁３３の前端位置は溝部３２の前端位置から後方に離間した位置にあり、ムービングプレート１８が嵌合位置にあるときには、中央支持壁３３の前端位置が溝部３２の前端位置に至るようにしてある。
【００１９】
なお、雌コネクタは全体としてフード部５内に嵌合可能であるが、嵌合面からは図示しない割り溝部３２が複数本切り入れられ、各割り溝部３２によって他の部分から周面が切り離された部分（図示しないムービングプレート嵌合部）がムービングプレート１８内に嵌合可能となっている。
【００２０】
次に、上記のように構成された本実施形態の作用効果を具体的に説明する。雌雄のコネクタを嵌合させる場合には、レバー８が初期位置にあってムービングプレート１８が進出位置にある状態で、カムピンを逃がし溝７に沿って押入れつつ雌コネクタをフード部５内に浅く嵌め入れ、カム溝１１の入り口で待機しているカムフォロア２４の凹部２５へカムピンを嵌合させる。すると、カムピンがカムフォロア２４と合体してカム溝１１に係合した状態となる。また、雌コネクタのうちムービングプレート嵌合部がムービングプレート１８内に嵌合される。この状態からレバー８を嵌合位置まで回動させると、図示しないカムピン及びカムフォロア２４とカム溝１１との係合によるカム作用によってムービングプレート１８と雌コネクタとが一体となってフード部５の奥部へ引き込まれ、その結果両コネクタが正規の嵌合状態となる。嵌合の進行の間、サブハウジング１２の各タブは、本体板１９によって整列状態に保たれるので、雌コネクタ側の雌端子金具と確実な導通状態が得られる。
【００２１】
両コネクタを離脱させる場合には、レバー８を嵌合位置から初期位置へ回動させれば、上記とは逆順にて両コネクタを離間させることができる。
【００２２】
ところで、ムービングプレート１８が進出位置にあるときにおいて、雌コネクタをフード部５に対して斜めに進入させてしまうことがありうる。その場合、雌コネクタ６の端部がムービングプレート１８内に進入するケース、フード部５内においてムービングプレート１８の外側の領域に進入するケースがありうるが、いずれの場合にも、ムービングプレート１８の横壁２２が雌コネクタの端部に当接してそれ以上に雌コネクタ６の進入を許さないため、雌コネクタ６によってフード部５内のタブが変形させられてしまう事態は回避される。
【００２３】
また、雌コネクタがムービングプレート１８の横壁２２に強く押し当てられると、横壁２２が撓み変形してしまう虞があり、押し当て方向によってムービングプレート１８内のタブを、あるいはムービングプレート１８の外のタブを変形させてしまう虞がある。しかし、本実施形態においてはムービングプレート１８の横壁２２及び張り出し縁２８が端部支持壁３０によって受け止められているため、横壁２２をムービングプレート１８の内方へ撓み変形させるのを規制することができる。特に、この実施形態の場合、フード部５の内面を凹ませて拡張溝３１を形成することにより、横壁２２から延長して形成した張り出し縁２８も支持することができる。このように横壁２２に対する掛かり代を増大させることができるため、受け強度を高めることができる。
【００２４】
また、横壁２２は外面側から中央支持壁３３によって支持されているため、横壁２２の外方への撓み変形を規制することができる。また、最も撓み変形を生じやすい幅方向中央部で支持するようにしているため、撓み規制に効果的である。さらに、横壁２２の外面に溝部３２を設けて中央支持壁３３を溝部３２内に収めるようにしたため、中央支持壁３３と横壁２２とを高さ方向においてラップする位置関係とすることで、フード部５内の低背化に寄与する。
【００２５】
さらにまた、端部支持壁３０を係止段縁２９と張り出し縁２８及び横壁２２とによって高さ方向から挟み付けるようにしているため、ムービングプレート１８を高さ方向にがたつきなく移動ガイドすることができる。また、薄肉縁２７を引っ掛け片２６と縦壁２１との間で幅方向から挟みつけること、及び中央支持壁３３を溝部３２の幅方向両側面にて幅方向から挟んでいることによって、ムービングプレート１８を幅方向にがたつきなく移動ガイドすることができる。
【００２６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２７】
（１）本実施形態では、レバー８を備えたコネクタについて本発明を適用したが、必ずしもレバー８を備えている必要はない。
【００２８】
（２）本実施形態では、コネクタのハウジング２とは別体のサブハウジング１２を組み込むようにしたが、サブハウジング１２を廃して全てのキャビティをハウジング２と一体に形成したものであってもよい。
【００２９】
（３）雄コネクタ内に配される雄端子金具は必ずしも大小異なる複数種を設ける必要はなく、一種類であってもよく、逆に本実施形態以上の種類を設定してもよい。
【００３０】
（４）この実施形態では、ムービングプレート１８を本体板１９から縦壁２１と横壁２２からなる筒状部２０を一体に形成したものとしたが、例えばレバー式コネクタ以外のコネクタであれば、必ずしも縦壁２１を有するものでなくてよく、横壁２２さえ形成されていればよい。
【図面の簡単な説明】
【００３１】
【図１】雄ハウジングの正面図
【図２】同じく側断面図
【図３】ムービングプレートの正面図
【図４】同じく平面図
【図５】雄コネクタの正面図
【図６】ムービングプレートの組付け部分を拡大して示す正面図
【図７】雄コネクタの側断面図
【図８】同じく平断面図
【符号の説明】
【００３２】
１…雄コネクタ
２…ハウジング
５…フード部
６…雌コネクタ
１７…奥壁
１８…ムービングプレート
２２…横壁
３０…端部支持壁
３２…溝部
３３…中央支持壁
【図１】
2008235059.tif 000003
【図２】
2008235059.tif 000004
【図３】
2008235059.tif 000005
【図４】
2008235059.tif 000006
【図５】
2008235059.tif 000007
【図６】
2008235059.tif 000008
【図７】
2008235059.tif 000009
【図８】
2008235059.tif 000010